(57)【要約】      （修正有）【課題】接続端子を本体外に突出させる操作を簡単に行い、端子ホルダーの過回転によるリード線の過度の捩れを回避する充電器を提供する。【解決手段】携帯電話機に着脱自在に接続されて給電する電池式の携帯電話機用充電器１において、切欠き部３を有して平面視で略凹形状に形成された本体２と、本体２に設けられて充電用電池を収容する電池収容部と、切欠き部３内に設けられ、基端部が切欠き部３の対向する内側面にて本体２の厚さ方向に回転可能に軸支され、先端部には接続端子２４が突設された端子ホルダー１８と、端子ホルダー１８を、接続端子２４が切欠き部３の内底面と対向する位置にあるときを格納状態としてこの状態から正方向に４５度ごとに回転規制する回転規制手段と、切欠き部３の内底面に突設され、接続端子２４に当接して端子ホルダー１８が０度よりも負方向に回転することを防止する過回転防止部材（ストッパ片）１４とを備えた。【選択図】図４
0003154556.tif 000002
【実用新案登録請求の範囲】
【請求項１】
携帯電話機に着脱自在に接続され、該携帯電話機に電力を供給する電池式の携帯電話機用充電器において、
略矩形の切欠き部を有して平面視で略凹形状に形成された本体と、
前記本体に設けられ、充電用電池を収容する電池収容部と、
前記本体の前記切欠き部内に設けられ、基端部が前記切欠き部の対向する内側面にて前記本体の厚さ方向に回転可能に軸支され、先端部には接続端子が突設された端子ホルダーと、
前記端子ホルダーを、前記接続端子が前記切欠き部の内底面と対向する位置にあるときを格納状態として該格納状態から正方向に所定角度ごとに回転規制する回転規制手段と、
前記切欠き部の前記内底面に突設され、前記接続端子に当接して前記端子ホルダーが前記格納状態から負方向に回転することを防止する過回転防止部材と、
を備えたことを特徴とする携帯電話機用充電器。
【請求項２】
前記回転規制手段は、前記端子ホルダーを前記格納状態から４５度ごとに回転規制することを特徴とする請求項１記載の携帯電話機用充電器。
【考案の詳細な説明】
【技術分野】
【０００１】
本考案は、携帯電話機用充電器に係り、特に、携帯電話機に接続される接続端子が突設された端子ホルダーを回転可能に設けたことにより、不使用時には接続端子を格納することができる携帯電話機用充電器に関する。
【背景技術】
【０００２】
従来、本体に内蔵された電池を電力の供給源とした携帯電話機用充電器には様々なものがある。その中の一般的なものとして、例えば下記特許文献１に開示されているように、携帯電話機に接続される接続端子が充電器本体の先端部に突設されたものが知られている。
【０００３】
ところが、この構造では、本体から接続端子が剥き出しで突出しているため、この部分に何らかが衝突すると接続端子が損傷し、携帯電話機の端子に差込み不能となることがあった。また、接続端子にゴミや埃などが溜まりやすくなり、接触不良が発生するなどの不具合があった。
【０００４】
そのため、通常は、本体の先端部に接続端子を保護するためのカバーが取り付けられるが、繰り返しの着脱によりカバーを紛失する場合が多く、使い勝手が悪いものであった。
【０００５】
これに対して、接続端子が突設された部分が所定角度の範囲内にて回動可能に設けられ、この部分が回動することにより、使用時には接続端子が本体外に突出し、不使用時には接続端子が本体内に格納されるものがある。
【先行技術文献】
【特許文献】
【０００６】
【特許文献１】特開２００３−２７３９７６号公報
【考案の開示】
【考案が解決しようとする課題】
【０００７】
しかしながら、上述した従来の（回動構造の）携帯電話機用充電器では、格納状態とすることにより、カバーなどを用いずに接続端子を保護することができるものの、格納状態において接続端子が本体内に埋没しているため、接続端子を突出させるためにこの接続端子が突設された部分を手指などで回動させる操作が煩雑になるという欠点があり、案外不便であった。
【０００８】
そこで本考案は、上記状況に鑑みてなされたものであり、不使用時における接続端子の格納状態から使用時の接続端子を本体外に突出させる操作を簡単に行え、さらに、接続端子が突設された端子ホルダーの回転に伴うリード線の過度の捩れを回避して断線を未然に防ぐようにした携帯電話機用充電器を提供することを目的としている。
【課題を解決するための手段】
【０００９】
次に、上記の課題を解決するための手段を、実施の形態に対応する図面を参照して説明する。
本考案に係る請求項１記載の携帯電話機用充電器は、携帯電話機Ａに着脱自在に接続され、該携帯電話機Ａに電力を供給する電池式の携帯電話機用充電器１において、
略矩形の切欠き部３を有して平面視で略凹形状に形成された本体２と、
前記本体２に設けられ、充電用電池６を収容する電池収容部４と、
前記本体２の前記切欠き部３内に設けられ、基端部が前記切欠き部３の対向する内側面１１，１１にて前記本体２の厚さ方向に回転可能に軸支され、先端部には接続端子２４が突設された端子ホルダー１８と、
前記端子ホルダー１８を、前記接続端子２４が前記切欠き部３の内底面１２と対向する位置にあるときを格納状態として該格納状態から正方向に所定角度ごとに回転規制する回転規制手段と、
前記切欠き部３の前記内底面１２に突設され、前記接続端子２４に当接して前記端子ホルダー１８が前記格納状態から負方向に回転することを防止する過回転防止部材（ストッパ片）１４と、を備えたことを特徴としている。
【００１０】
請求項２記載の携帯電話機用充電器は、前記回転規制手段が、前記端子ホルダー１８を前記格納状態から４５度ごとに回転規制することを特徴としている。
【考案の効果】
【００１１】
本考案に係る携帯電話機用充電器によれば、充電器の不使用時には接続端子が本体内に格納されるため、接続端子を覆うためのカバーなどの余計な付属品を必要とせずに接続端子を保護することができる。また、本体の厚さ方向に回転する端子ホルダーが本体の切欠き部内にあることにより、その回転操作は容易なものとなり、使用時に接続端子を本体外に突出させる操作を簡単に行うことができる。さらに、切欠き部内の端子ホルダーは、過回転防止部材によって格納状態より負方向への回転が防止されるため、端子ホルダーが３６０度以上回転することを抑止して、端子ホルダーの回転に伴うリード線の過度の捩れによる断線を未然に防ぐことができる。
【００１２】
また、端子ホルダーが回転規制手段によって４５度ごとに回転規制されるため、この充電器は好適な姿勢で携帯電話機に接続されるようになり、使用状態にてスタイルがよいものとなり、さらに、使い勝手もよくなるという効果が得られる。
【図面の簡単な説明】
【００１３】
【図１】本考案に係る携帯電話機用充電器の実施の形態を示す分解斜視図である。
【図２】（ａ），（ｂ）同実施の形態が備える端子ホルダーを示す分解斜視図及び組立斜視図である。
【図３】同実施の形態の電池カバーを外した状態を示す斜視図である。
【図４】（ａ），（ｂ），（ｃ）同実施の形態が備える端子ホルダーの回転動作を示す斜視図である。
【図５】（ａ），（ｂ）同実施の形態を携帯電話機に接続する状態を示す斜視図である。
【考案を実施するための形態】
【００１４】
以下、本考案の実施の形態を図面を参照して具体的に説明する。
この実施の形態は、携帯電話機に着脱自在に接続され、携帯電話機に電力を供給する電池式の携帯電話機用充電器（以下、充電器と略称する）である。
【００１５】
図１に示すように、充電器１は、本体２と、電池収容部４と、端子ホルダー１８と、接続端子２４と、回転規制手段と、過回転防止部材１４とを備えている。
【００１６】
本体２は、扁平なブロック状をなしているとともに、略矩形の切欠き部３を有して平面視で略凹形状に形成されている。また、本体２には電池収容部４が設けられており、この部分には電池収容部４を覆うように側面視で略Ｕ字形状の電池カバー５が摺動可能に取り付けられている。本体２と電池カバー５は共にＡＢＳやＰＣ（ポリカーボネート）樹脂成形体の表面を光沢又は非光沢塗装したものが用いられており、その適宜位置にロゴなどのデザインが印刷や刻印などで施されている。
【００１７】
電池収容部４は、本体２の一方半部に設けられており、その長手方向の一端側に電池６（図３参照）を直列接続する共通端子７を取り付けるための取付部１０ａが設けられている。また、電池収容部４の長手方向の他端側にはそれぞれプラス端子８とマイナス端子９を個別に取り付けるための取付部１０ｂが設けられている。
【００１８】
本体２の他方半部には切欠き部３が設けられている。切欠き部３は、対向する内側面１１，１１と、内底面１２とから構成されている。また、切欠き部３の対向する内側面１１，１１にはそれぞれ軸受部１３，１３が設けられている。切欠き部３の内底面１２には後述する過回転防止部材となる略矩形のストッパ片１４が突設されている。
【００１９】
本体２の内部には電力供給のための回路基板１５が配設されている。この基板１５上に実装されている電子部品の中には充電器１による電力供給時に点灯又は点滅するＬＥＤ１６があり、これに対応して本体２表面にはクリアレンズにより覆われた窓部１７が設けられている。
【００２０】
図１，２に示すように、端子ホルダー１８は、上述した本体２と同様に二つの部材を嵌合させることで形成される。端子ホルダー１８はこれを組み立てた状態で略矩形ブロック状をなしており、その両側面には組み立てた状態で略円筒形状をなすように軸部１９，１９が突設されている。端子ホルダー１８は、本体２の切欠き部３内にて軸部１９，１９が対向する内側面１１，１１の軸受部１３，１３に軸支されて取り付けられるものであり、軸部１９を回転軸として本体２の厚さ方向に回転可能に設けられている。
【００２１】
端子ホルダー１８の各軸部１９，１９の外周面には、その軸方向に沿って伸びた八つの略三角形状のストッパ突起２０が４５度ごとに等配置されて設けられている。
【００２２】
端子ホルダー１８の軸部１９は、充電器１を組み立てた状態において、軸受部１３を介して回転規制板２１の略矩形の穴２２に挿通されている。回転規制板２１は、本体２における切欠き部３の内側面１１，１１の近傍に配設されているものであり、穴２２の周縁には軸部１９のストッパ突起２０が嵌入される二つの略三角形状の切欠き２２ａ，２２ａが設けられている。
【００２３】
上述した端子ホルダー１８の軸部１９のストッパ突起２０と、回転規制板２１の切欠き２２ａ，２２ａとは、端子ホルダー１８を４５度ごとに回転規制する回転規制手段を構成している。
【００２４】
また、上述した本体２の切欠き部３の内底面１２のストッパ片１４は、端子ホルダー１８の負方向への回転や３６０度以上の回転を防止する過回転防止部材となっている。
【００２５】
図２（ａ）に示すように、端子ホルダー１８の内部には、端部にリード線２３が接続された接続端子２４が設けられている。接続端子２４は、携帯電話機Ａ（図５参照）の端子に接続されるものであり、端子ホルダー１８を組み立てた状態において端子ホルダー１８の先端部から突出するように設けられている。
【００２６】
なお、図２（ｂ）に示すように、接続端子２４のリード線２３は、端子ホルダー１８の軸部１９の中空内部を通じて端子ホルダー１８の外部に引き回されており、上述した共通端子７、プラス端子８、マイナス端子９及び回路基板１５に接続されている。
【００２７】
また、図３に示すように、本体２の電池収容部４には、付属又は別売りの二つの電池６，６が装填され、電池カバー５をスライドして本体２に装着させることにより充電器１は図５に示すような使用可能状態となる。
【００２８】
そして、図４に示すように、端子ホルダー１８は、その基端部（軸部１９）を回転軸として、本体２の厚さ方向における正方向に回転可能となる。このとき、端子ホルダー１８は、回転規制手段によって、先端部の接続端子２４が本体２の切欠き部３の内底面１２と対向する位置にあるときを基準位置（０度）として、０度、４５度、９０度、１３５度、１８０度、２２５度、２７０度、３１５度の回転角度で一時固定されるように回転規制される。
【００２９】
また、端子ホルダー１８は、接続端子２４が過回転防止部材となるストッパ片１４に当接することによって、上述した基準位置から本体２の厚さ方向における負方向や３６０度以上の回転が防止される。
【００３０】
図５に示すように、充電器１は、端子ホルダー１８を基準位置となる０度から４５度、９０度、１３５度、１８０度、２２５度、２７０度、３１５度に回転させて、その接続端子を通常は携帯電話機Ａの側面又は底面に設けられている端子に接続させて携帯電話機に電力を供給する。このとき、本体２の窓部１７（本体２の内部のＬＥＤ１６）は、充電器１により充電中であることを表示するように点灯又は点滅する。なお、図５（ａ）には端子ホルダー１８を９０度に回転させた状態を示し、（ｂ）には端子ホルダー１８を１８０度に回転させた状態を示している。
【００３１】
上述した実施の形態によれば、充電器１の不使用時には接続端子２４が本体２内に格納されるため、接続端子２４を覆うためのカバーなどの余計な付属品を必要とせずに接続端子２４を保護することができる。また、本体２の厚さ方向に回転する端子ホルダー１８が本体２の切欠き部３内にあることにより、その回転操作は容易なものとなり、使用時に接続端子２４を本体２外に突出させる操作を簡単に行うことができる。さらに、切欠き部３内の端子ホルダー１８は、過回転防止部材となるストッパ片１４によって格納状態より負方向への回転が防止されるため、端子ホルダー１８が３６０度以上回転することを抑止して、端子ホルダー１８の回転に伴うリード線２３の過度の捩れによる断線を未然に防ぐことができる。
【００３２】
また、端子ホルダー１８が回転規制手段によって、０度、４５度、９０度、１３５度、１８０度、２２５度、２７０度、３１５度の回転角度に回転規制されるため、この充電器１は好適な姿勢で携帯電話機Ａに接続されるようになり、使用状態にてスタイルがよいものとなり、使い勝手もよくなる。
【００３３】
なお、上述した実施の形態では、電池６として二本の単三形乾電池を用いているが、これに限定せず、一本の単三形乾電池を用いて構成されていてもよい。この場合は、充電器１を更に小型化することができる。
【符号の説明】
【００３４】
１…携帯電話機用充電器
２…本体
３…切欠き部
４…電池収容部
６…電池
１１…内側面
１２…内底面
１４…過回転防止部材となるストッパ片
１８…端子ホルダー
２４…接続端子
Ａ…携帯電話機
【図１】
0003154556.tif 000003
【図２】
0003154556.tif 000004
【図３】
0003154556.tif 000005
【図４】
0003154556.tif 000006
【図５】
0003154556.tif 000007